(57)【要約】【課題】本発明はこのような実情に鑑み、別途表示具の支持用バーがなくとも、商品近傍に商品データを表示できるようにした商品陳列具を提供することを目的とする。【解決手段】上記課題を解決するために、本発明では、上部に所定の形状の吊下げ用孔を有した商品を吊り下げて陳列するための商品陳列具において、商品吊下げ用のバーと、このバーの先端に連結構造を介して取付けた表示具とからなり、前記表示具と連結構造は、前記商品に形成されている横長状の吊下げ用孔を通過しえる大きさに形成してあり、前記バーに対する商品の出し入れ方向に前記表示具の表示面が平行になる出し入れ姿勢とこれとは異なる表示姿勢とに変更可能に前記バーと前記表示具を前記連結構造により連結してなることを特徴とする構成を採用した。【選択図】図１
2006192235.tif 000002
【特許請求の範囲】
【請求項１】
上部に所定の形状の吊下げ用孔を有した商品を吊り下げて陳列するための商品陣列具において、商品吊下げ用のバーと、このバーの先端に連結構造を介して取付けた表示具とからなり、前記表示具と連結構造は、前記商品に形成されている横長状の吊下げ用孔を通過しえる大きさに形成してあり、前記バーに対する商品の出し入れ方向に前記表示具の表示面が平行になる出し入れ姿勢とこれとは異なる表示姿勢とに変更可能に前記バーと前記表示具を前記連結構造により連結してなることを特徴とする商品陳列具。
【請求項２】
前記請求項１に記載の商品陳列具であって、少なくとも出し入れ姿勢と表示姿勢の何れかにおいて前記表示具の自重では変位しない程度の抵抗を与えるように前記連結構造を構成してあることを特徴とする商品陳列具。
【請求項３】
前記請求項１又は２に記載の商品陳列具であって、出し入れ姿勢から表示姿勢の間においてのみ姿勢変更が可能にしてあることを特徴とする商品陳列具。
【請求項４】
前記請求項１から３の何れかに記載の商品陳列具であって、前記バーに保持された商品を引き出すに当たり、その横長状の吊下げ用孔が出し入れ姿勢の表示具に対向する位置に案内する案内リブを前記バーの先端部で前記表示具の近くに配置してあることを特徴とする商品陳列具。
【請求項５】
前記請求項１から４の何れかに記載の商品陳列具であって、前記連結構造の表示具を支持する支持軸の両端が、前記商品に形成されている横長状の吊下げ用孔の横幅より短い間隔で併置した２本の商品吊下げ用のバーの先端に連結してあることを特徴とする商品陳列具。
【請求項６】
前記請求項１から５の何れかに記載の商品陳列具であって、前記表示具内には、表示カードを内側から表示面に押え付ける板バネが内装してあることを特徴とする商品陳列具。
【発明の詳細な説明】
【技術分野】
【０００１】  本発明は、商品を吊下げて店頭に陳列するための陳列具に関し、より詳しくは商品の価格や品番などを表示する表示具を有する商品陳列具に関する。
【背景技術】
【０００２】  従来のこの種商品陳列具は、特開平１１−２９９６０４号公報に示されているように、商品を吊下げるバーの上方に表示具を先端に保持する補助バーが配置されていた。
このような構造では、表示機能は達成されるが、吊下げた商品の上方という目立つ箇所に商品とは関係のない補助バーが位置して陳列効果を減少していた
また、上下２本のバーに挟まれた空間はデッドスペースとなり、コンビニエンスストアのように限られたスペースに多量の商品を陳列する場合は、その分商品の陳列点数を減少させることとなっていた。また、陳列効果を高めるため吊下げ位置よりも上方に大きな表示ラベルを設けた商品などは、補助バーが邪魔になって陳列できない場合も生じかねなかった。
【発明の開示】
【発明が解決しようとする課題】
【０００３】
【０００４】  本発明はこのような実情に鑑み、別途表示具の支持用バーがなくとも、商品近傍に商品データを表示できるようにした商品陳列具を提供することを目的とする。
【課題を解決するための手段】
【０００５】  上記課題を解決するために、本発明では、商品吊下げ用のバーと、このバーの先端に連結構造を介して取付けた表示具とからなり、前記表示具と連結構造は、前記商品に形成されている横長状の吊下げ用孔を通過しえる大きさに形成してあり、前記バーに対する商品の出し入れ方向に前記表示具の表示面が平行になる出し入れ姿勢とこれとは異なる表示姿勢とに変更可能に前記バーと前記表示具を前記連結構造により連結してなることを特徴とする構成を採用した。
【発明の効果】
【０００６】  このように構成することで、表示具用の補助バーを無くすことができ、これに邪魔されることなく商品全体が見える状態で陳列できるようになった
また、商品周辺には表示具のみが存在し、商品を強調した陳列が可能になり陳列効果は良好であるのみならず、バー上方にデッドスペースを作らないので、陳列効率も良好になった。【０００７】  さらに、  少なくとも出し入れ姿勢と表示姿勢の何れかにおいて前記表示具の自重では変化しない程度の抵抗を与えるように前記連結構造を構成すると、手指で表示具を押すことにより表示具は変位し自重では変位しないので、表示面の向きが勝手に変わったりするような問題がなくなった。
それ故に、商品をバーから取り出す場合は、意図して表示具を変位させなければならないので、万引きのような衝動的犯罪を未然に防止する効果を期待できる。
また」、出し入れ姿勢にて抵抗を与えるようにしておけば、商品の出し入れに際し表示具の姿勢が安定しているので、表示具を支える必要がなく、商品をバーに対し出し入れするのに両手が使用できるようになった。【０００８】  また、出し入れ姿勢から表示姿勢の間においてのみ姿勢変更が可能にしてある構成を採用すれば、商品の出し入れの姿勢と、表示の姿勢との変更は、何れも表示具を他方の旋回限界まで行うことで達成でき、購買者が商品を取り出した後に、表示具をもとの表示姿勢に戻すのが容易になった。【０００９】  そして、前記バーに保持された商品を引き出すに当たり、その横長状の吊下げ用孔が出し入れ姿勢の表示具に対向する位置に案内する案内リブを前記バーの先端部で前記表示具の近くに配置してある構成を採用すれば、バーの幅と表示具の幅が大きく異なっていても、商品をバーから取り出す場合に、表示具に衝突するようなことがなく商品取出しをスムーズに行えるようになった。【００１０】  前記連結構造の表示を支持する支持軸の両端が、前記商品に形成されている横長状の吊下げ用孔の横幅より短い間隔で併置した２本の商品吊下げ用のバーの先端に連結してある構成を採用することで、バーの幅と表示具の幅との差をなくし、商品が表示具に対し横方向に大きくずれるような事態を無くすことができた。この結果、商品を取り出す時に商品が表示具に衝突するような問題を招かず、容易に取り出すことができた。【００１１】  さらに、前記表示具内には、表示カードを内側から表示面に押え付ける板バネが内装してある構成を採用すれば、表示具を変位させても、内部に収納した表示カードが不測に脱落することがない。
【発明を実施するための最良の形態】
【００１２】  以下に、本発明の最良の実施形態を例示するが、本発明はこれによって限定されるものではない。
【実施例１】
【００１３】（１）は、商品吊下げ用のバーで、基端には陳列棚などての取付金具（図外）が固定してある。
前記バー（１）の遊端には、連結構造（２）を介して表示具（３）が取付けてある。
前記表示具（３）は透明プラスチック版をＵの字状に曲げた形状を有し、その表裏両面は表示面３ａ）（３ｂ）としてある。
なお、その横幅及び高さは、商品（Ｇ）に形成してある長孔（Ｇ１）内を通る大きさにしてある。
前記表示面（３ａ）（３ｂ）それぞれの遊端には、前記連結構造（２）を構成する半円筒状のフランジ部（２ａ）（２ｂ）が一体成型してある。【００１４】  前記連結構造（２）は、前記バー（１）の遊端に同心状に固定した連結軸（２ｆ）とこの連結軸（２ｆ）に中央を固定した水平な保持軸（２ｅ）とこれに抱きついた前記フランジ部（２ａ）（２ｂ）とにより構成してある。
前記フランジ部（２ａ）（２ｂ）の左右中央部には、前記連結軸（２ｅ）の入り込みを許すＵの字状の切込み（２ｃ）（２ｄ）が設けてある。
このようにして、前記保持軸（２ｅ）の中心線周りに前記表示具（３）を旋回して表示面（３ａ）を水平にした姿勢（図１）にした出し入れ姿勢と垂直にした表示姿勢（図２）とに変更可能にしてある。
なお、本実施例では、前記表示具（３）を上方に位置させた状態を表示姿勢とし、表示面（３ｂ）により商品情報を提供するようにしてあるが、前記表示具（３）を下方に位置させた状態を表示姿勢とし、表示面（３ａ）により商品情報を提供するようにすることも可能である。
前記表示具（３）の横幅は、商品（Ｇ）の上部に形成した横長孔（Ｇ１）に入り込む厚さと幅に形成してある。
なお、前記フランジ部（２ａ）（２ｂ）の上下内径（図１における）は、前記保持軸（２ｅ）の直径より少々短くしてあり、前記表示具（３）が少々開き気味になった状態で前記フランジ部（２ａ）（２ｂ）が前記保持軸（２ｅ）に抱きつくようにしてある。
このようにして、前記表示具（３）の弾性力により前記フランジ部（２ａ）（２ｂ）に前記保持軸（２ｅ）が固嵌め状になるようにして、表示具（３）の自重では旋回しないが、手指で押すことにより前記表示具（３）を旋回できるようにしてある。
このようにして表示具（３）を水平な姿勢にしたときには、前記商品（Ｇ）の横長孔（Ｇ１）内に表示具（３）を通過させて、前記バー（１）に対し出し入れできるようにしてある。なお前記横長孔（Ｇ１）の中央上部に形成した半円形の凹祈（Ｇ２）は、前記バー（１）に吊下げるためのものである。【００１５】  前記表示具（３）内には、表示カード（Ｐ）を挿入してある。
この表示カード（Ｐ）の脱落を防止するために薄板バネ（Ｓ）が表示カード（Ｐ）の背面に挿入してある。
この板バネ（Ｓ）は厚さが０．１ｍｍ以下の薄い硬質プラスチック又は青銅（真鍮）など薄板を図４に示すように湾曲させたものである。
図５に示すように、前記表示具（３）の内部の薄い空間内に挿入されることにより、前記表示カード（Ｐ）を表示面（３ｂ）側に押し付ける弾性力を発生するようにしてある。【００１６】  なお、前記表示具（２）の両面にそれぞれ表示カード（Ｐ１）（Ｐ２）を保持させれ場合は、前記板バネ（Ｓ）に代わりＶの字状の板バネ（Ｓ１）を用いればよい。
この板バネ（Ｓ１）は前記板バネ（Ｓ）と同様な材料にて構成してあるが、中央を屈曲縁（Ｓ１ｃ）としたＶの字状に形成したものである。
図７に示すように、前記屈曲縁（Ｓ１ｃ）を表示具（３）のフランジ部（２ａ）（２ｂ）側に向けて内装することにより、その両辺（Ｓ１ａ）（Ｓ１ｂ）がそれぞれ表示カード（Ｐ１）（Ｐ２）を表示面（３ａ）（３ｂ）に押し付けるようになる。
また、このように板バネ（Ｓ１）を表示具（３）に内装することで、前記屈曲縁（Ｓ１ｃ）が前記表示カード（Ｐ１）（Ｐ２）をバネ辺（Ｓ１ａ）と表示面（３ａ）又はバネ辺（Ｓ１ｂ）と表示面（３ｂ）の間に案内するので、表示カード（Ｐ１）（Ｐ２）を前記表示具（３）に容易に挿入することができるようになった。【００１７】  以上のように構成して、表示具（３）を上下に旋回させ、表示姿勢と商品を出し入れする姿勢とに変更できるようにして、１本のバー（１）でありながら商品の吊下げ陳列と、最も注目される先端部分での商品データの表示とを共に行えるようにした。
【実施例２】
【００１８】  本実施例は、前記実施例１の表示具（３）の構成を改造して、その旋回の範囲を９０度に制限したものである。
具体的には、出し入れ姿勢で下側になるフランジ部（２ｂ’）の中央に、前記連結軸（２ｆ）の下側に接する凹溝（２ｄ’）を形成してある。
この凹溝（２ｄ’）に連結軸（２ｆ）の下側があたることでそれ以上の表示具（３）の下方旋回を阻止してある。その他は前記実施例１と同様なので説明を省略する。【００１９】  以上のようにして、商品（Ｇ）を出し入れする出し入れ姿勢と、表示面（３ｂ）を正面に向けた表示姿勢の２箇所で旋回範囲の限界にいたるようにして、購入者が商品を取り出した後に容易にもとの表示姿勢に戻せるようにした。
【実施例３】
【００２０】  本実施例は、前記実施例２において、前記表示具（３）の旋回抵抗を固嵌めによるのではなく突起（２ｈ）（２ｇ）と小穴（２ｉ）の嵌め合によることとした例である。
具体的には、第９図に示すように以下の通りに構成してある。
前記バー（１）と前記保持軸（２ｅ）とを連結する連結軸（２ｆ’）の一側面に小穴（２ｉ）を形成してある。
そして、前記小穴（２ｉ）に入り込むことができる小突起（２ｈ）（２ｇ）を、表示具（３）のフランジ部（２ａ’）の中央部に設けた前記連結軸（２ａ’）の入り込みを許すＵの字状の切込み（２ｃ’）の内側面の一側面に設けてある。
一方の小突起（２ｈ）は、前記表示具（３）が起立した表示姿勢になったときに、前記小穴（２ｉ）に嵌り込み、他方の小突起（２ｇ）は、前記表示具（３）が水平な出し入れ姿勢になったときに、前記小穴（２ｉ）に嵌り込むようにしてある。
このようにして、前記表示具（３）が起立した表示姿勢と出し入れ姿勢の両方において、自重では旋回しない抵抗を与えるようにしてある。
その他の構成は、前記実施例２と同様なので説明を省略する。
【実施例４】
【００２１】  本実施例は、商品を取り出すときに保持軸に衝突するおそれを無くすように、案内リブ（１２）（１３）を設けた例を示す。
商品吊下げ用のバー（１１）と、その先端に連結軸（２０ｆ）を介して保持軸（２０ｅ）が、また先端部の左右両側に案内リブ（１２）（１３）がそれぞれ一体に設けてたプラスチック製である。
前記バー（１１）内には補強用の鉄心（１０）が内包してある。
前記案内リブ（１２）（１３）は、上面に案内傾斜面（１２ａ）（１３ａ）が形成してある。
この案内傾斜面（１２ａ）（１３ａ）の後端縁は、前記バー（１１）に商品（Ｇ）を吊下げたときの長孔（Ｇ１）の上下縁の間に位置するようにしてある。
また、前記案内傾斜面（１２ａ）（１３ａ）の前端縁は、出し入れ姿勢になった前記表示具（３）の上縁以上の位置に配置してある。
前記案内リブ（１２）（１３）は手前側ほど幅広になるようにして、その最大は、前記保持軸（２０ｅ）の長さ同様にしてある。【００２２】  以上のようにして、商品を前記バー（１１）から取り出すときに、商品（Ｇ）の長孔（Ｇ１）が前記表示具（３）に対向する位置に案内するようにしてある。
前記案内リブ（１２）（１３）の前端面（１２ｂ）（１３ｂ）は、側面視六分の一円弧状に形成してあり、商品（Ｇ）を挿入するときにこのリブ（１２）（１３）上に長孔（Ｇ１）を案内するようにしてある。
本実施例を説明する図１０、１１では、実施例１の表示具（３）及び連結構造を想定して記載してあるが、これらについては実施例２，３の何れも適用可能である。
【実施例５】
【００２３】  本実施例は、バー（１’）の中心線（Ｑ）に対し、その先端部（１’ａ）を鋭角に上方に傾斜させたものに本発明を適用した場合を例示したものである。【００２４】  前記実施例１を適用する場合は、前記先端部（１’ａ）の中心線（Ｑ１）と同心状にその遊端に連結軸（２ｆ）を固定して、表示面（３ａ）（３ｂ）が前記中心線（Ｑ１）と平行になる姿勢を取り出し姿勢とし、前記中心線（Ｑ）に対し垂直となる姿勢を表示姿勢とした。
なお、前記実施例２、３においては、旋回範囲を９０度ではなく、両中心線（Ｑ）（Ｑ１）の挟角（α）となるように、それぞれの構成を変更することにより適用可能である。
【実施例６】
【００２５】  本実施例は、実施例１から５に適用できる表示具の別例を説明する。
Ｕの字状に形成した本体の一辺（３３ａ）の遊端部にのみ内側に向かうフランジ部（２ａ’）が形成してある。
そして、前記フランジ部（２０ａ）の中央には、連結軸に対応する切込み（２０ｃ）が形成してある。
なお、実施例３に適用する場合以外は、フランジ部（２０ａ）の内径は保持軸の外径よりわずかに小さくして、保持軸に固嵌め状に嵌めこむようにしてある。
さらに、前記フランジ部（２０ａ）を設けていない他辺（３３ｂ）の中央は折線（３３ｄ）に沿って少々内側に折り曲げられている。
これによって、内部に収納する表示カード（Ｐ）を押さえるようにして、バネ部材を不用としながら表示カード（Ｐ）の不測な脱落を防止してある。
【実施例７】
【００２６】本実施例は、実施例１から３に適用できる表示具の別例を説明する。
Ｕの字状に形成した本体の一辺（３４ａ）の遊端部にのみ、開口部を外側に向け内側に膨らませてフランジ部（２１ａ）が形成してある。
そして、前記フランジ部（２１ａ）の中央には、連結軸に対応する切込与（２ｃ’’）が形成してある。
なお、実施例３に適用する場合以外は、フランジ部（２１ａ）の内径は保持部の外径よりわずかに小さくして、保持軸に固嵌め状に嵌めこむようにしてある。
なお、前記実施例６と同様に前記フランジ部（２１ａ）を設けていない他辺（３４ｂ）の中央を少々内側に折り曲げることも可能である。
【実施例８】
【００２７】  本実施例は、商品の長孔（Ｇ１）による左右の位置ずれが生じることなく、従って、出し入れがより容易な例を示す。
商品吊下げ用のバー（１５）は、左右の吊下げ部（１５ａ）（１５ｂ）とそれらの先端をつなぐ保持軸（２１ｄ）が一体に形成された平面視コの字状の棒材より構成されている。
左右の吊下げ部（１５ａ）（１５ｂ）の間隔は、商品（Ｇ）の長孔（Ｇ１）の幅よりも小さくしてある。
前記保持軸（２１ｄ）には前記実施例７で示す表示具（３４）と略同様な表示具（３４’）が取り付けられている。
表示具（３４’）は、前記表示具（３４）の切込み（３４ｃ）がないだけでその他は実施例７と同様である。
以上のようにして、吊下げ構造に横幅を持たせることにより、吊下げた商品の左右移動を規制して、表示具（３４’）を通した出し入れを容易に行えるようにした。
【実施例９】
【００２８】  本実施例は、前記実施例８において、前記表示具（３４’）の旋回抵抗を固嵌めによるのではなく小穴によるものとした場合の例である。
表示具（３４’）に形成したフランジ部（２１ａ’）の左右中央に、内側に向かって一部が突出するボール（２１ｉ）とこれを内側に向かって押し出すコイルバネ（２１ｊ）と、このコイルバネ（２１ｊ）の背面を支持する小ネジ（２１ｋ）を設けてある。
一方、前記保持軸（２１ｄ’）の中央には、その背面と下面の２箇所に、前記ボール（２１ｉ）の一部が突入可能な小穴（２１ｇ）（２１ｈ）が形成してある。
このようにして、前記表示具（３４‘）の表示面を水平にした場合は、前記ボール（２１ｊ）が前記小穴（２１ｈ）に突入し、表示面を垂直にした場合は前記小穴（２１ｇ）に突入するようにしてある。このようにすることで、出し入れ姿勢と表示姿勢の両方において表示具（３４’）に自重では旋回できない抵抗を与えてある。
【実施例１０】
【００２９】  本実施例は、前記実施例８を改良し、実施例４の案内リブに代わる案内機能を有さしめた例である。
商品吊下げ用のバー（１６）は、左右の吊下げ部（１６ａ）（１６ｂ）とこれを先端でつなぐ保持軸（２２ｄ）とよりなるものである。
前記吊下げ部（１６ａ）（１６ｂ）は先端近くで屈曲させ、前記保持軸（２２ｄ）を底辺とする三角形を形成し、その他の箇所は、両部（１６ａ）（１６ｂ）が平行接近して配置してある。
このようにして三角形の箇所を案内部とし、その他の箇所を商品の吊下げ部にしてある。
【実施例１１】
【００３０】  本実施例は、表示具（３）に形成したフランジ部（２ａｗ）（２ｂｗ）の自由状態における内径を、保持軸（２ｅ）の外径より少々大きくし、前記表示具（３）の姿勢変更にあたり抵抗を与えないようにしたものである。その他の構成は前記実施例５と同様なので説明を省略する。
このようにすると、吊下げ用バー（１’）から商品を取り出す場合は、商品を引き出すだけで表示具（３）を自動的に出し入れ姿勢に変更させることができる。
当該実施例には、前記実施例１、２、４、６、７、８、１０に示した構成を実施例５と同様にして採用可能である。
なお、図８、図１５、図１７に示す実施例を採用する場合は、表示面を図示した方向とは逆にして適用すれば良い。【００３１】  また、本実施例において、出し入れ姿勢において抵抗を与える場合は、図９又は図１６に示すような構成を以下のようにして採用すれば良い。
図９に示す構成では、図１９に示すようにフランジ部（２ａｗ’）（２ｂｗ’）の内、一方（２ａｗ’）に突起（２ｇ）のみを設け、図９にて示した突起（２ｈ）を無くすとともに、表示具（３）を表裏反転させて取付けたものである。
その他は実施例３と同様なので、図９と同様な符号をつけて説明を省略する。この場合、フランジ部（２ａｗ’）（２ｂｗ’）は図９の（２ａ’）（２ｂ’）に対応している。
図１６に示す構成では、図２０に示すように、保持軸（２１ｄ’）に小穴（２１ｈ）のみを形成し、小穴（２１ｇ）を無くのみならず、表示具（３４‘）の表裏を反転させて取付けたものである。その他は実施例９と同様なので、図１６と同様な符号をつけて説明を省略する。
上記のようにした場合は、いずれの場合も、出し入れ姿勢及びその付近では旋回抵抗を生じ、表示姿勢では自重にて垂下するほどに旋回抵抗をほとんど生じなくすることができる。
【産業上の利用可能性】
【００３２】  本発明は、商品を陳列する際に、その陳列効果を高めながら商品データを最も有効な位置に表示できる商品陳列具であり、コンビニエンスストアのように多品種少量陳列に極めて有効なものである。
【図面の簡単な説明】
【００３３】
【図１】実施例１の商品出し入れ姿勢を示す一部省略斜視図
【図２】実施例１の表示姿勢を示す一部省略斜視図
【図３】図２のＡ−Ａ拡大縦断面図
【図４】片面表示用の板バネの斜視図
【図５】図４で示す板バネの使用状態を示す側面図
【図６】両面表示用の板バネの斜視図
【図７】図５で示す板バネの内装状態を示す側面図
【図８】実施例２の要部を示す縦断側面図
【図９】実施例３の要部を示す縦断側面図
【図１０】実施例４の要部を示す一部省略斜視図
【図１１】実施例４の要部を示す側面図
【図１２】実施例５を示す一部省略側面図
【図１３】実施例６の表示具を示す斜視図
【図１４】実施例７の表示具を示す斜視図
【図１５】実施例８を示す一部省略斜視図
【図１６】実施例９の要部を示す一部切り欠き側面図
【図１７】実施例１０を示す一部省略斜視図
【図１８】実施例１１を示す一部省略側面図
【図１９】実施例１１に実施例３を適用した場合を示す縦断側面図
【図２０】実施例１１に実施例９を適用した場合を示す一部切り欠き側面図
【符号の説明】
【００３４】（１）（１１）（１５）（１５ａ）（１５ｂ）（１６）（１６ａ）（１６ｂ）バー
（２）連結構造
（２ａ）（２ｂ）（２ａ’）（２ａｗ）（２ｂｗ）（２ａｗ’）（２ｂｗ’）（２０ａ）（２１ａ）（２１ａ’）フランジ部
（２ｃ）（２ｄ）（２ｃ’）（２０ｃ）（２１ｃ）切り欠き
（２ｅ）（２０ｅ）（２１ｄ）（２１ｄ’）（２２ｄ）保持軸
（２ｆ）（２ｆ’）連結軸
（２ｇ）（２ｈ）突起
（２ｉ）（２１ｇ）（２１ｈ）小穴
（２１ｉ）ボール
（２１ｊ）コイルバネ
（２１ｋ）小ネジ
（３）（３１）（３２）（３３）（３４）（３４’）表示具
（Ｐ）（Ｐ１）（Ｐ２）表示カード
（Ｇ）商品
（Ｇ１）横長孔
（Ｇ２）中央凹所
（Ｑ）（Ｑ１）中心線
【図１】
2006192235.tif 000003
【図２】
2006192235.tif 000004
【図３】
2006192235.tif 000005
【図４】
2006192235.tif 000006
【図５】
2006192235.tif 000007
【図６】
2006192235.tif 000008
【図７】
2006192235.tif 000009
【図８】
2006192235.tif 000010
【図９】
2006192235.tif 000011
【図１０】
2006192235.tif 000012
【図１１】
2006192235.tif 000013
【図１２】
2006192235.tif 000014
【図１３】
2006192235.tif 000015
【図１４】
2006192235.tif 000016
【図１５】
2006192235.tif 000017
【図１６】
2006192235.tif 000018
【図１７】
2006192235.tif 000019
【図１８】
2006192235.tif 000020
【図１９】
2006192235.tif 000021
【図２０】
2006192235.tif 000022